(57)【特許請求の範囲】
【請求項１】
動画像を記録する録画手段と、
前記録画手段で録画している動画像を表示する表示手段と、
前記表示手段に表示する動画像の画質を改善する画質改善手段と、
前記録画手段の動作状態を含むシステム負荷の状態を認識する認識手段と、
前記認識手段で認識されたシステム負荷の減増状態に応じて前記画質改善手段の動作を起動、停止制御する表示制御手段と
を具備してなることを特徴とする情報処理装置。
【請求項２】
前記表示制御手段は、前記システム負荷が設定範囲内にあるとき、前記画質改善手段を起動して、前記表示手段に表示する前記動画像の画質を改善する処理を実行し、前記システム負荷が前記設定範囲を超えたとき、前記画質改善手段の動作を停止して、前記表示手段に表示する前記動画像の画質を改善する処理を停止することを特徴とする請求項１に記載の情報処理装置。
【請求項３】
前記表示制御手段は、前記認識手段が前記録画手段の動作停止状態を認識している状態にあるとき前記画質改善手段を動作状態に設定することを特徴とする請求項１または２に記載の情報処理装置。
【請求項４】
前記画質改善手段は、表示制御手段の制御のもとに、ポストフィルタ処理、色補正処理、輪郭補正処理、Ｉ／Ｐ（Interlace／Progressive）処理、動き補償処理、補間処理等のいずれか若しくはその組み合わせでなる画質改善処理を施すことを特徴とする請求項１乃至３のいずれか１項に記載の情報処理装置。
【請求項５】
動画像を取得する画像取得手段と、前記画像取得手段で取得した動画像を表示する表示手段と、前記画像取得手段で取得した動画像を記録する録画手段と、前記表示手段に表示する動画像の画質を改善する画質改善手段と、前記各手段を制御する制御手段と、システム全体の処理負荷を検出する負荷検出手段とを具備し、前記制御手段は、前記負荷検出手段が検出した負荷の減増状態に応じて前記画質改善手段の動作を起動、停止制御する表示制御手段を具備することを特徴とする画像記録再生装置。
【請求項６】
前記表示制御手段は、前記システム全体の処理負荷が設定範囲内にあるとき、前記画質改善手段を起動して、前記表示手段に表示する前記動画像の画質を改善する処理を実行し、前記システム全体の処理負荷が前記設定範囲を超えたとき、前記画質改善手段の動作を停止して、前記表示手段に表示する前記動画像の画質を改善する処理を停止することを特徴とする請求項５に記載の画像記録再生装置。
【請求項７】
動画像を記録する録画手段と、前記録画手段で録画している動画像を表示する表示手段と、前記各手段を制御する制御手段とを備えて前記動画像を前記録画手段に動画像を記録しながら前記表示手段に表示可能なコンピュータ機器の表示画像制御方法であって、
前記表示手段に表示する動画像の画質を改善する画質改善手段と、前記録画手段の動作状態を含むシステム全体の処理負荷を検出する負荷検出手段とを備え、
前記制御手段は、前記負荷検出手段が検出した前記システム全体の処理負荷が設定範囲内にあるとき、前記画質改善手段を起動して、前記表示手段に表示する前記動画像の画質を改善する処理を実行し、前記システム全体の処理負荷が前記設定範囲を超えたとき、前記画質改善手段の動作を停止して、前記表示手段に表示する前記動画像の画質を改善する処理を停止する表示制御を行うことを特徴とするコンピュータ機器の表示画像制御方法。
【請求項８】
動画像を記録する録画手段と、前記録画手段で録画している動画像を表示する表示手段と、前記各手段を制御する制御手段とを備えて前記動画像を前記録画手段に動画像を記録しながら前記表示手段に表示可能なコンピュータ機器の表示画像制御方法であって、
前記表示手段に表示する動画像の画質を改善する画質改善手段と、前記録画手段の動作状態を含むシステム全体の処理負荷を検出する負荷検出手段とを備え、
前記制御手段は、
前記負荷検出手段が検出したシステム負荷の変化に伴い前記表示手段に表示する動画像の画質改善処理が可能であるか否かを判定するステップと、
前記判定ステップで画質改善処理が可能であると判定したとき、前記画質改善手段を起動して、前記表示手段に表示する動画像に画質改善処理を施すステップと
を備えたことを特徴とするコンピュータ機器の表示画像制御方法。
【発明の詳細な説明】
【０００１】
【発明の属する技術分野】
本発明は、例えばＴＶ（テレビジョン）映像等の動画像を記録しながら表示可能な機能をもつ情報処理装置、画像記録再生装置、及び表示画像制御方法に関する。
【０００２】
【従来の技術】
ＴＶ映像等の動画像処理に於いて、画像の解像度を大きくすると（上げると）一般的に画質は向上するが、動画像を記録しながら表示可能な機能をもつパーソナルコンピュータに於いて、録画処理が行われている場合は、ディスクの入出力、ＣＰＵ負荷などが増大するため、システム全体の負荷が高くなってしまう。従って、従来のパーソナルコンピュータに於いて、動画像を記録しながら表示可能な機能をもたせた際は、録画処理が実行されているとき、その処理を優先させなければならないことから、表示画像の解像度を予め下げておく必要があり、このため、解像度の高い画質の良い表示画像を提供することができないという問題があった。また、解像度の高い画質の良い表示画像を提供しようとすると、表示処理専用のプロセッサ及びその周辺回路を別途設けなければならないことから、システム構成の煩雑化、大型化、並びに製品コストの大幅な上昇等を招いてしまうという問題が生じる。
【０００３】
【発明が解決しようとする課題】
上述したように、従来では、パーソナルコンピュータの情報処理装置に於いて、動画像を記録しながら表示可能な機能をもたせた際は、録画処理が実行されているとき、その処理を優先させなければならないことから、表示画像の解像度を予め下げておく必要があり、このため、解像度の高い画質の良い表示画像を提供することができないという問題があった。
【０００４】
本発明は上記実情に鑑みなされたもので、動画像を記録しながら表示可能な機能をもつ情報処理システムに於いて、システム制御を行うＣＰＵの処理能力を十分に（フルに）活用して、動画像の記録再生機能を維持しつつ当該画像の表示性能を大幅に向上させることのできる表示制御機能を実現した情報処理装置、画像記録再生装置及び表示画像制御方法を提供することを目的とする。
【０００５】
【課題を解決するための手段】
本発明は、本発明は、動画像を記録しながら表示可能な機能をもつ情報処理装置に於いて、録画動作状態若しくはその動作を含むシステム負荷の過負荷状態等を認識して、その認識結果をもとに、表示画像の解像度を可変制御し若しくは画質改善処理動作を制御する手段を具備してなることを特徴とする。例えばＴＶチューナを内蔵し当該ＴＶ映像を録画できるパーソナルコンピュータ等の情報処理装置に於いて、録画を伴わず単にＴＶ放送などを視聴している場合は、録画処理を行う場合に比べてシステム負荷（システム全体の処理負荷）が低いことから（ＣＰＵの処理能力に余裕があることから）、この際は表示解像度をより大きくして（上げて）、画質を向上させ、鮮明な画像を提供することを特徴とする。更に、この際は、解像度の変更だけではなく、画質改善処理を追加して施すことにより、映像データの間引き等による動きの鈍い動画像表示を排除して滑らかな動きを優先した高画質の動画像を提供することができる。
【０００６】
即ち、本発明は、情報処理装置において、動画像を記録する録画手段と、前記録画手段で録画している動画像を表示する表示手段と、前記表示手段に表示する動画像の画質を改善する画質改善手段と、前記録画手段の動作状態を含むシステム負荷の状態を認識する認識手段と、前記認識手段で認識されたシステム負荷の減増状態に応じて前記画質改善手段の動作を起動、停止制御する表示制御手段とを具備してなることを特徴とする。
【００１２】
また、本発明は、上記情報処理装置に於いて、テレビジョン放送の受信手段を有し、当該受信手段で受信した番組を前記録画手段により録画し前記表示手段に表示することを特徴とする。例えば、受信した番組を録画している際は表示解像度を下げ、録画していない際は表示解像度を上げる表示制御を行う。または、受信した番組を録画している際はシステム負荷の状態に応じて表示解像度を下げ、録画していない際はシステム負荷状態に応じて表示解像度を上げる表示制御を行う。または、受信した番組を録画していないとき、表示画像の画質を改善する処理を実行する。または、受信した番組を録画していないとき、システム負荷状態に応じて表示画像の画質を改善する処理を実行する。
【００１３】
また、本発明は、情報処理装置に於いて、動画像を記録する録画手段と、前記録画手段で録画している動画像を表示する表示手段と、前記録画手段で録画している動画像の画質を改善する画質改善手段と、前記録画手段の動作状態を認識する認識手段と、前記認識手段が前記録画手段の動作停止状態を認識している際に前記画質改善手段を動作状態に設定する表示制御手段とを具備してなることを特徴とする。
【００１４】
また、本発明は、情報処理装置に於いて、動画像を記録する録画手段と、前記録画手段で録画している動画像を表示する表示手段と、前記録画手段で録画している動画像の画質を改善する画質改善手段と、前記録画手段の動作状態を含むシステム負荷の状態を認識する認識手段と、前記認識手段で認識されたシステム負荷に応じて前記画質改善手段を動作制御する表示制御手段とを具備してなることを特徴とする。
【００１７】
また、本発明は、動画像を取得する画像取得手段と、前記画像取得手段で取得した動画像を表示する表示手段と、前記画像取得手段で取得した動画像を記録する録画手段と、前記表示手段に表示する動画像の画質を改善する画質改善手段と、前記各手段を制御する制御手段と、システム全体の処理負荷を検出する負荷検出手段とを具備する画像記録再生装置に於いて、前記制御手段は、前記負荷検出手段が検出した負荷の減増状態に応じて前記画質改善手段の動作を起動、停止制御する表示制御手段を具備し、前記制御手段の制御のもとに選択的に画質改善処理を実行することを特徴とする。
【００２１】
また、本発明は、映像を記録しながら表示する機能を実現する際の表示画像制御方法であって、システム負荷を監視して、システム負荷の状態に応じ画質の改善処理を選択的に実行することを特徴とする。
【００２２】
また、本発明は、映像を記録しながら表示する機能を実現する際の表示画像制御方法であって、システム負荷を監視して、システム負荷が設定範囲内にあるとき、画質の改善処理を実行し、システム負荷が設定範囲を超えたとき、画質の改善処理を停止することを特徴とする。
【００２４】
また、本発明は、映像を記録しながら表示する機能を実現する際の表示画像制御方法であって、システム負荷を検出するステップと、前記検出ステップで検出したシステム負荷の変化に伴い表示画像の画質改善処理が可能であるか否かを判定するステップと、前記判定ステップで画質改善処理が可能であると判定された際に表示対象画像に画質改善処理を施すステップとを備えたことを特徴とする。
【００２５】
上記した本発明の処理機能を備えることにより、動画像を記録しながら表示可能な機能をもつ情報処理システムに於いて、システム制御を行うＣＰＵの処理能力を十分に（フルに）活用して、動画像の記録再生機能を維持しつつ当該画像の表示性能を大幅に向上させることができる。また、録画動作の実行／停止状態に応じて表示解像度を切り換え制御することで、簡単な制御により、ＣＰＵの処理能力を常時、フルに発揮して、高画質の画像を提供することができる。また、システム負荷の状態に応じて、システム処理能力の可能な限り、画質の改善処理を行うことで、簡単な制御により、ＣＰＵの処理能力を常時、フルに発揮して、高画質の画像を提供することができる。また、ＴＶチューナ（テレビジョン放送の受信手段）を内蔵しＴＶ映像を録画可能な情報処理装置に於いて、ＴＶ映像を録画している際は、システム負荷の状態に応じて段階的に表示解像度を下げ、ＴＶ映像を録画していない際はシステム負荷状態に応じて段階的に表示解像度を上げる表示制御機能を実現することにより、ＣＰＵの処理能力を常時、フルに発揮して、きめの細かい有効な解像度切替が可能となる。
【００２６】
【発明の実施の形態】
以下、図面を参照して本発明の実施形態を説明する。
【００２７】
先ず図１を参照して本発明の第１実施形態を説明する。この第１実施形態では、録画を伴わずＴＶ放送などを単に視聴している場合には、当該表示画像をより大きな解像度で表示制御する構成を例に示している。
【００２８】
図１は本発明の第１実施形態に於ける要部の構成を示すブロック図である。
【００２９】
図中、１００は画像取得装置、２００は表示装置、３００は録画装置、４００は上記各装置を制御する制御装置である。
【００３０】
画像取得装置１００は、キャプチャデバイスと同様に画像データを取得する装置であり、制御装置４００の制御の下に、取得する画像の解像度を変更する機能を持つ。
【００３１】
表示装置２００は、制御装置４００の制御の下に、画像取得装置１００で取得した画像データを表示装置２００にモニタ表示する。
【００３２】
録画装置３００は、制御装置４００の制御の下に、画像取得装置１００で得た画像データを所定の記録フォーマット（例えばＭＰＥＧフォーマット、ＡＶＩフォーマット等による画像圧縮処理）で例えばディスクなどの記録媒体に記録する。
【００３３】
制御装置４００は、録画装置３００の動作と画像取得装置１００の解像度を制御し、録画装置３００が録画状態にあるときは、画像取得装置１００の解像度を、例えば３２０×２４０画素のように小さく設定する。また、録画装置３００が動作を停止している状態では、画像取得装置１００の解像度を、例えば６４０×４８０画素のように大きく設定する。
【００３４】
このような表示制御により、例えば録画を伴わずＴＶ放送などを単に視聴している場合には、当該表示画像をより大きな解像度で表示制御することができる。これにより、録画処理が行われているときは、図示しないディスクの入出力、ＣＰＵ負荷などが増大し、システム全体の負荷が高くなることから、その処理を優先させ、録画処理が行われていないときは、システム全体の負荷が低くなりＣＰＵの処理能力に余裕があることから、その処理能力を有効かつ十二分に発揮して、解像度の高い画質の良い表示画像を提供することができる。
【００３５】
次に図２を参照して本発明の第２実施形態を説明する。この第２実施形態では、上記した図１に示す構成に、画質改善部、及びシステム負荷の検出部を加えたシステム構成として、上記第１実施形態の解像度制御に加え、より画質の改善及び動きを優先した表示制御機能を実現している。尚、図２に於いて、上述した図１に示す部分（構成要素）と同一部分には同一符号を付しその説明を省略する。
【００３６】
図２に於いて、５００は画質改善部、６００は負荷検出部である。
【００３７】
画質改善部５００は、制御装置４００の制御の下に、画像取得装置１００で取得され、同じく制御装置４００の制御の下に解像度切り換え制御された画像データに対し、平滑化などの画質改善処理を施し、表示画像をより高画質化する。具体的には、制御装置４００の制御の下に、ポストフィルタ処理、色補正処理、輪郭補正処理、Ｉ／Ｐ（ Interlace／Progressive ）処理、動き補償処理、補間処理等のいずれか若しくはその組み合わせでなる画質改善処理を施す。
【００３８】
負荷検出部６００は、システム全体の負荷を監視し、遅れ具合を検出してその負荷状態を制御装置４００に通知する。
【００３９】
制御装置４００は、録画装置３００の状態と画像取得装置１００の解像度を制御し、録画装置３００が録画状態にあるときは画像取得装置１００の解像度を例えば３２０×２４０画素のように小さく設定する。また録画装置３００が動作を停止しているときは、画像取得装置１００の解像度を例えば６４０×４８０画素のように大きく設定する。更に制御装置４００は、負荷検出部６００が検出したシステム全体の処理負荷状態に応じて、画質改善部５００の動作を起動／停止制御する。即ち、システム全体の負荷（システム負荷）が予め設定された範囲内に収まっているときは、画質改善部５００の動作を起動して画質改善処理を実行させ、システム負荷が予め設定された範囲を超えた際は、画質改善部５００の動作を停止する。
【００４０】
このような表示制御により、例えば録画を伴わずＴＶ放送などを単に視聴している場合には、当該表示画像を、より大きな解像度で、かつ画質改善を施して表示制御することができる。これにより、録画処理が行われているときは、図示しないディスクの入出力、ＣＰＵ負荷などが増大し、システム全体の負荷が高くなることから、その処理を優先させ、録画処理が行われていないときは、システム全体の負荷が低くなりＣＰＵの処理能力に余裕があることから、その処理能力を有効かつ十分に発揮して、解像度の高い高画質の表示画像を提供することができる。
【００４１】
尚、上記した実施形態では、負荷検出部６００で検出したシステム全体の負荷を制御装置４００が受けて、その検出したシステム全体の負荷により、画質改善部５００の動作のみを制御している（即ち、負荷検出部６００で検出したシステム全体の負荷が画質改善部５００の動作にのみ反映される）構成としているが、制御装置４００が負荷検出部６００で検出したシステム全体の負荷の状態をもとに、画質改善部５００の動作制御に加え、画像取得装置１００の解像度を切り換え制御する（即ち、負荷検出部６００で検出したシステム全体の負荷が画質改善部５００の動作と画像取得装置１００の解像度制御に反映される）構成とすることも勿論可能である。また、ＴＶチューナを内蔵しＴＶ映像を録画可能な情報処理装置に於いて、ＴＶ映像を録画している際は、システム負荷の状態に応じて段階的に表示解像度を下げ、ＴＶ映像を録画していない際はシステム負荷状態に応じて段階的に表示解像度を上げる表示制御機能を実現することにより、ＣＰＵの処理能力を常時、フルに発揮して、きめの細かい有効な解像度切替が可能となる。
【００４２】
また、制御装置４００は、上記録画装置３００の録画時に於ける画像圧縮等のＣＰＵ負荷を含むシステム全体の負荷を認識して表示装置２００に表示する表示画像の表示解像度を段階的にある単位時間を最小単位として切り換える制御、若しくは、上記録画装置３００の録画時に於ける録画品質を決める設定内容（圧縮／伸張方式（例えばＭＰＥＧ、ＡＶＩ等）、Ｉ／Ｐ（Interlace／Progressive）、フレームレート等）を認識し、録画処理を実行している際に、上記認識結果に応じて、その録画処理が実行されている期間に亘り、表示装置２００に表示する表示画像の表示解像度を切り換え制御することも可能である。更に、この際、制御装置４００は、認識した録画品質を決める設定内容が、設定されたシステム負荷の範囲内に収まる負荷状態にあるか否かを判断し、その判断結果をもとに上記表示装置２００に表示する表示画像の解像度を制御することも可能である。
【００４３】
【発明の効果】
以上詳記したように本発明によれば、動画像を記録しながら表示可能な機能をもつ情報処理システムに於いて、システム制御を行うＣＰＵの処理能力を十分に活用して、動画像の記録再生機能を維持しつつ当該画像の表示性能を大幅に向上させることができる。また、録画動作の実行／停止状態に応じて表示解像度を切り換え制御することで、簡単な制御により、ＣＰＵの処理能力を常時、フルに発揮して、高画質の画像を提供することができる。また、システム負荷の状態に応じて、システム処理能力の可能な限り、画質の改善処理を行うことで、簡単な制御により、ＣＰＵの処理能力を常時、フルに発揮して、高画質の画像を提供することができる。また、ＴＶチューナを内蔵しＴＶ映像を録画可能な情報処理装置に於いて、ＴＶ映像を録画している際は、システム負荷の状態に応じて段階的に表示解像度を下げ、ＴＶ映像を録画していない際はシステム負荷状態に応じて段階的に表示解像度を上げる表示制御機能を実現することにより、ＣＰＵの処理能力を常時、フルに発揮して、きめの細かい有効な解像度切替による高画質の画像を提供することができる。
【図面の簡単な説明】
【図１】本発明の第１実施形態に於ける要部の構成を示すブロック図。
【図２】本発明の第１実施形態に於ける要部の構成を示すブロック図。
【符号の説明】
１００…画像取得装置
２００…表示装置
３００…録画装置
４００…制御装置
５００…画質改善部
６００…負荷検出部
【図１】
0004316152.tif 000002
【図２】
0004316152.tif 000003